(57)【要約】【課題】多くの種類の被記録媒体に対して、その終端の浮き上がりに基づくヘッド擦れの問題を確実性をもって防止することのできる記録装置を提供すること。【解決手段】搬送ローラ１７の下流側近傍に位置するプラテン２７と記録ヘッド２５とを備えた記録部４５と、記録ヘッド２５の下流側近傍に位置する排紙ローラ２９と、排紙ローラ２９の下流側に位置し排出された用紙Ｐを受けて保持するための排紙受け部５０とを備え、排紙受け部５０は、用紙Ｐを受ける面である紙受け面５９が基端から先端に向けて上昇する傾斜面に形成され、紙受け面５９は、基端が排紙ローラのニップ位置２９ｃより低く位置すると共に、先端は排紙ローラのニップ位置２９ｃより高く位置する構成の記録装置であって、排紙受け部５０は、その紙受け面５９の基端寄りの位置に、排紙ローラのニップ位置２９ｃとほぼ同じ高さの用紙支え部６０が突設されている。【選択図】　　　　図４
2004075388.tif 000002
【特許請求の範囲】
【請求項１】
被記録媒体を搬送する搬送ローラと、
該搬送ローラの下流側近傍に位置し被記録媒体を下側から支えるプラテンと該プラテンと対向離間して上側に位置する記録ヘッドとを備えた記録部と、
前記記録ヘッドの下流側近傍に位置し被記録媒体を下流側に向けて排出する排出ローラと、
該排出ローラの下流側に位置し前記排出された被記録媒体を受けて保持するための被記録媒体受け部と、を備え、
前記被記録媒体受け部は、被記録媒体を受ける面である被記録媒体受け面が基端から先端に向けて上昇する傾斜面に形成され、
前記被記録媒体受け面は、基端が前記排出ローラのニップ位置より低く位置すると共に、先端は前記排出ローラのニップ位置より高く位置する構成の記録装置であって、
前記被記録媒体受け部は、その被記録媒体受け面の前記基端寄りの位置に、前記排出ローラのニップ位置とほぼ同じ高さの被記録媒体支え部が突設されていることを特徴とする記録装置。
【請求項２】
被記録媒体を搬送する搬送ローラと、
該搬送ローラの下流側近傍に位置し被記録媒体を下側から支えるプラテンと該プラテンと対向離間して上側に位置する記録ヘッドとを備えた記録部と、
前記記録ヘッドの下流側近傍に位置し被記録媒体を下流側に向けて排出する排出ローラと、
該排出ローラの下流側に位置し前記排出された被記録媒体を受けて保持するための被記録媒体受け部と、を備え、
前記被記録媒体受け部は、被記録媒体を受ける面である被記録媒体受け面が基端から先端に向けて上昇する傾斜面に形成され、
前記被記録媒体受け面は、基端が前記排出ローラのニップ位置より低く位置すると共に、先端は前記排出ローラのニップ位置より高く位置する構成の記録装置であって、
前記被記録媒体受け部は、その被記録媒体受け面の前記基端寄りの位置に、被記録媒体の重量を支えて、被記録媒体の終端が前記搬送ローラのニップ位置を通過し前記排出ローラだけでニップされている状態においても被記録媒体終端が浮き上がらないようにその姿勢を保持する被記録媒体支え部が突設されていることを特徴とする記録装置。
【請求項３】
請求項１または２において、前記被記録媒体支え部は、その基端が前記被記録媒体受け面と面一であり、先方の頂部に向けて漸次高くなる傾斜面に形成されていることを特徴とする記録装置。
【請求項４】
請求項１から３のいずれか１項において、前記被記録媒体支え部は、前記被記録媒体受け面に載る被記録媒体枚数の増加による重量増加に伴って自動的に低くなるように弾性的に構成されていることを特徴とする記録装置。
【請求項５】
請求項１から４のいずれか一項のおいて、前記被記録媒体受け部に排出された被記録媒体の主走査方向の撓みを防止する撓み防止手段が、前記排出ローラと前記被記録媒体支え部との間に配設されていることを特徴とする記録装置。
【請求項６】
請求項５において、前記撓み防止手段は、前記排出された被記録媒体の非記録面側において主走査方向に延在して配設された撓み防止部材と、前記撓み防止部材に対置され当該排出された被記録媒体の記録面側において主走査方向に所定の間隔をおいて配設された撓み防止ローラから構成されていることを特徴とする記録装置。
【請求項７】
請求項６において、前記被記録媒体受け部は、前記被記録媒体受け部に排出される被記録媒体の下に位置するように主走査方向に複数個並設されていることを特徴とする記録装置。
【請求項８】
被噴射媒体を搬送する搬送ローラと、
該搬送ローラの下流側近傍に位置し被噴射媒体を下側から支えるプラテンと該プラテンと対向離間して上側に位置する液体噴射ヘッドとを備えた液体噴射部と、
前記液体噴射ヘッドの下流側近傍に位置し被噴射媒体を下流側に向けて排出する排出ローラと、
該排出ローラの下流側に位置し前記排出された被噴射媒体を受けて保持するための被噴射媒体受け部と、を備え、
前記被噴射媒体受け部は、被噴射媒体を受ける面である被噴射媒体受け面が基端から先端に向けて上昇する傾斜面に形成され、
前記被噴射媒体受け面は、基端が前記排出ローラのニップ位置より低く位置すると共に、先端は前記排出ローラのニップ位置より高く位置する構成の液体噴射装置であって、
前記被噴射媒体受け部は、その被噴射媒体受け面の前記基端寄りの位置に、前記排出ローラのニップ位置とほぼ同じ高さの被噴射媒体支え部が突設されていることを特徴とする液体噴射装置。
【発明の詳細な説明】
【０００１】
【発明の属する技術分野】
本発明は、インクジェットプリンタなどの記録装置及び液体噴射装置に関する。
ここで液体噴射装置とは、インクジェット式記録ヘッドが用いられ、該記録ヘッドからインク滴を吐出して被記録媒体に記録を行うプリンタ、複写機およびファクシミリ等の記録装置に限らず、インクに代えてその用途に対応する液体を前記記録ヘッドに相当する液体噴射ヘッドから被記録媒体に相当する被噴射媒体に噴射して、前記液体を前記被噴射媒体に付着させる装置を含むものである。
【０００２】
液体噴射ヘッドとして、前記記録ヘッドの他に、液晶ディスプレー等のカラーフィルター製造に用いられる色剤噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０００３】
【従来の技術】
記録装置及び液体噴射装置の１つとして例えばインクジェットプリンタ（以下「プリンタ」と言う）があり、該プリンタは、被記録媒体の一例である用紙を搬送する搬送ローラと、該搬送ローラの下流側近傍に位置し用紙を下側から支えるプラテンと該プラテンと対向離間して上側に位置する記録ヘッドとを備えた記録部と、前記記録ヘッドの下流側近傍に位置し用紙を下流側に向けて排出する排紙ローラと、該排紙ローラの下流側に位置し前記排紙された用紙を受けて保持するための排紙受け部とを主な構成要素として備えているものがある。
【０００４】
そして、前記排紙受け部は、用紙を受ける面である紙受け面が基端から先端に向けて上昇する傾斜面に形成され、更に当該紙受け面は、その基端が前記排紙ローラのニップ位置より低く位置すると共に、先端は前記排紙ローラのニップ位置より高く位置するように構成されている。このような傾斜面に構成されている理由は、以下の通りである。
【０００５】
用紙の終端が、搬送ローラのニップ位置を通過して排紙ローラだけでニップされる状態になったときに、該紙受け面の先端が前記排紙ローラのニップ位置より高く位置することにより用紙を逆ぞりさせ、その逆ぞりによって用紙終端に対して下方に付勢する規制力を発生させ、この規制力によって用紙終端が不用意に浮き上がらないように規制し、もってヘッド擦れによる汚損の発生を防止する為である。
【０００６】
【特許文献１】
特開２００３−９５５１８号公報
【０００７】
【発明が解決しようとする課題】
排紙受け部の上記傾斜面構造によって、通常のほとんどの種類の用紙に対して、ヘッド擦れによる用紙終端部の汚損を防止できていた。しかし、更なる用紙の種類の増加などによって、用紙自身の腰の強さの程度と自重との関係によるものと考えられるが、以下のような問題が発生した。該用紙の排紙ローラより下流側で且つ排紙ローラ寄りに位置する部分が傾斜空間、すなわち排紙ローラのニップ位置より下方となる空間に落ち込むような用紙も現れ、前記逆ぞりの効果がなくなって、前記傾斜空間への前記用紙の部分的（一部の）落ち込みによって、用紙終端が浮き上がり、ヘッド擦れを来す問題が発生した。
【０００８】
本発明の目的は、多くの種類の被記録媒体（被噴射媒体）に対して、その終端の浮き上がりに基づくヘッド擦れの問題を確実性をもって防止することのできる記録装置（液体噴射装置）を提供することにある。
【０００９】
【課題を解決するための手段】
上記目的を達成するために、本発明の第１の態様に係る記録装置の発明は、被記録媒体を搬送する搬送ローラと、該搬送ローラの下流側近傍に位置し被記録媒体を下側から支えるプラテンと該プラテンと対向離間して上側に位置する記録ヘッドとを備えた記録部と、前記記録ヘッドの下流側近傍に位置し被記録媒体を下流側に向けて排出する排出ローラと、該排出ローラの下流側に位置し前記排出された被記録媒体を受けて保持するための被記録媒体受け部と、を備え、前記被記録媒体受け部は、被記録媒体を受ける面である被記録媒体受け面が基端から先端に向けて上昇する傾斜面に形成され、前記被記録媒体受け面は、基端が前記排出ローラのニップ位置より低く位置すると共に、先端は前記排出ローラのニップ位置より高く位置する構成の記録装置であって、前記被記録媒体受け部は、その被記録媒体受け面の前記基端寄りの位置に、前記排出ローラのニップ位置とほぼ同じ高さの被記録媒体支え部が突設されていることを特徴とする。
【００１０】
本発明によれば、前記被記録媒体受け部は、その被記録媒体受け面の前記基端寄りの位置に、前記排出ローラのニップ位置とほぼ同じ高さの被記録媒体支え部が突設されているので、被記録媒体の排出ローラより下流側で且つ排出ローラ寄りに位置する部分が傾斜空間、すなわち排出ローラのニップ位置より下方となる空間に落ち込むような被記録媒体であっても、当該被記録媒体支え部によって、その落ち込みが防止され、被記録媒体終端が浮き上がるのを防止でき、もってヘッド擦れによる被記録媒体の汚損を確実に防止することができる。
【００１１】
また、本発明の第２の態様に係る記録装置の発明は、被記録媒体を搬送する搬送ローラと、該搬送ローラの下流側近傍に位置し被記録媒体を下側から支えるプラテンと該プラテンと対向離間して上側に位置する記録ヘッドとを備えた記録部と、前記記録ヘッドの下流側近傍に位置し被記録媒体を下流側に向けて排出する排出ローラと、該排出ローラの下流側に位置し前記排出された被記録媒体を受けて保持するための被記録媒体受け部と、を備え、前記被記録媒体受け部は、被記録媒体を受ける面である被記録媒体受け面が基端から先端に向けて上昇する傾斜面に形成され、前記被記録媒体受け面は、基端が前記排出ローラのニップ位置より低く位置すると共に、先端は前記排出ローラのニップ位置より高く位置する構成の記録装置であって、前記被記録媒体受け部は、その被記録媒体受け面の前記基端寄りの位置に、被記録媒体の重量を支えて、被記録媒体の終端が前記搬送ローラのニップ位置を通過し前記排出ローラだけでニップされている状態においても被記録媒体終端が浮き上がらないようにその姿勢を保持する被記録媒体支え部が突設されていることを特徴とする。
【００１２】
本発明によれば、前記被記録媒体受け部は、その被記録媒体受け面の前記基端寄りの位置に、被記録媒体の重量を支えて、被記録媒体の終端が前記搬送ローラのニップ位置を通過し前記排出ローラだけでニップされている状態においても被記録媒体終端が浮き上がらないようにその姿勢を保持する被記録媒体支え部が突設されているので、被記録媒体の排出ローラより下流側で且つ排出ローラ寄りに位置する部分が傾斜空間、すなわち排出ローラのニップ位置より下方となる空間に落ち込むような被記録媒体であっても、当該被記録媒体支え部によって、その落ち込みが防止され、被記録媒体終端が浮き上がるのを防止でき、もってヘッド擦れによる被記録媒体の汚損を確実に防止することができる。
【００１３】
また、本発明の第３の態様に係る記録装置の発明は、前記第１の態様または前記第２の態様において、前記被記録媒体支え部は、その基端が前記被記録媒体受け面と面一であり、先方の頂部に向けて漸次高くなる傾斜面に形成されていることを特徴とする。
本発明によれば、被記録媒体先端が当該被記録媒体支え部の位置を通過するとき、引っかかることなく滑らかに通過することができる。
【００１４】
また、本発明の第４の態様に係る記録装置の発明は、前記第１の態様から前記第３の態様のいずれかの態様において、前記被記録媒体支え部は、前記被記録媒体受け面に載る被記録媒体枚数の増加による重量増加に伴って自動的に低くなるように弾性的に構成されていることを特徴とする。
本発明によれば、被記録媒体受け部に多数枚の被記録媒体が積層されたとき、当該被記録媒体支え部が、その重量増加に対応して低くなるので、被記録媒体通過の妨げとなることを簡単に防止することができる。
【００１５】
また、本発明の第５の態様に係る記録装置の発明は、前記第１の態様から前記第４の態様のいずれかの態様において、前記被記録媒体受け部に排出された被記録媒体の主走査方向の撓みを防止する撓み防止手段が、前記排出ローラと前記被記録媒体支え部との間に配設されていることを特徴とする。
【００１６】
本発明によれば、排出ローラを通過して被記録媒体受け部に排出された被記録媒体において、記録状態や被記録媒体の種類によって生じる主走査方向の撓みを確実に防止することができる。これにより、被記録媒体受け部において排出された被記録媒体を複数枚重ねて保持することができるとともに、被記録媒体受け部からの被記録媒体の脱落を防止することができる。
【００１７】
また、本発明の第６の態様に係る記録装置の発明は、前記第５の態様において、前記撓み防止手段は、前記排出された被記録媒体の非記録面側において主走査方向に延在して配設された撓み防止部材と、前記撓み防止部材に対置され当該排出された被記録媒体の記録面側において主走査方向に所定の間隔をおいて配設された撓み防止ローラから構成されていることを特徴とする。本発明によれば、簡単な構成で撓み防止手段を構成することができる。
【００１８】
また、本発明の第７の態様に係る記録装置の発明は、前記第６の態様において、前記被記録媒体受け部は、前記被記録媒体受け部に排出される被記録媒体の下に位置するように主走査方向に複数個並設されていることを特徴とする。
【００１９】
本発明によれば、被記録媒体受け部に排出された被記録媒体がある程度撓んだとしても、この被記録媒体の側端部が確実に撓み防止部材に接触することができ、もって撓み防止部材を有効に作用させることができる。従って、被記録媒体の種類によらず撓みの発生を確実に防止することができる。
【００２０】
また、本発明の第８の態様に係る液体噴射装置の発明は、被噴射媒体を搬送する搬送ローラと、該搬送ローラの下流側近傍に位置し被噴射媒体を下側から支えるプラテンと該プラテンと対向離間して上側に位置する液体噴射ヘッドとを備えた液体噴射部と、前記液体噴射ヘッドの下流側近傍に位置し被噴射媒体を下流側に向けて排出する排出ローラと、該排出ローラの下流側に位置し前記排出された被噴射媒体を受けて保持するための被噴射媒体受け部と、を備え、前記被噴射媒体受け部は、被噴射媒体を受ける面である被噴射媒体受け面が基端から先端に向けて上昇する傾斜面に形成され、前記被噴射媒体受け面は、基端が前記排出ローラのニップ位置より低く位置すると共に、先端は前記排出ローラのニップ位置より高く位置する構成の液体噴射装置であって、前記被噴射媒体受け部は、その被噴射媒体受け面の前記基端寄りの位置に、前記排出ローラのニップ位置とほぼ同じ高さの被噴射媒体支え部が突設されていることを特徴とする。
【００２１】
【発明の実施の形態】
以下、図面を参照しつつ本発明の実施の形態について説明する。以下では先ず、本発明の記録装置または液体噴射装置の一実施形態に係るインクジェットプリンタ（以下「プリンタ」と言う）１００の概略構成について図１乃至図３を参照しつつ説明する。ここで、図１は本発明に係るプリンタ１００の使用状態における概略の外観斜視図であり、図２はプリンタ１００の装置本体（カバー部材等の外観を構成する部材を取り外した状態）の外観斜視図であり、図３は同プリンタ１００の側断面概略図である。尚、以下では、図１の左側すなわち図３の右側（プリンタ１００の後方側）を「上流側」（被記録媒体搬送経路の上流側）と言い、図１の右側すなわち図３の左側（プリンタ１００の前方側）を「下流側」（被記録媒体搬送経路の下流側）と言うこととする。
【００２２】
プリンタ１００は、図１に示したように、「被記録媒体」の一例である被記録紙（以下、「用紙Ｐ」という）を給送する給紙装置１、ハウジング４０内に納められている記録部（図２と図３で詳しく説明される）及び前記記録部で記録実行された用紙Ｐを受けて保持する「被記録媒体受け部」の一例である排紙受け部５０を備えている。プリンタ１００は、図２に示す様に装置本体の基体を構成する、平面視略コの字形の形状をなすメインフレーム１２の後方側に給紙装置１を備え、該給紙装置１から用紙Ｐを装置前方側へ１枚ずつ給送する。ここで、図３に示すように給紙装置１は、給紙ローラ３と、分離パッド７と、紙戻しレバー９と、ホッパ５とを備えている。
【００２３】
図示しない駆動モータによって回動駆動される給紙ローラ３は側面視略Ｄ形の形状をなし、ローラ本体３ａと、該ローラ本体３ａの外周部に巻回されるゴム材３ｂとから構成されている。給紙ローラ３は、その円弧部分によって用紙Ｐを給送する一方、平坦部分によって用紙Ｐを通過させて、下流側の搬送ローラ１７による搬送動作時に搬送負荷を与えることがないようになっている。
【００２４】
ホッパ５は板状体からなり、図示するように傾斜姿勢に設けられ、且つ、上部に設けられた回動軸５ａを中心に図３の時計方向及び反時計方向に揺動可能に設けられている。そして、図示しないカム機構によって揺動駆動されることにより、下端部が給紙ローラ３に対して圧接及び離間動作する様になっている。従って、ホッパ５が給紙ローラ３に対して圧接方向に揺動すると、ホッパ５上に堆積された用紙Ｐの束は給紙ローラ３に圧接し、そして当該圧接状態で給紙ローラ３が回動（図３において時計回り方向）することにより、堆積された用紙Ｐの最上位のものが下流側へと給送される。なお、符合８は、ホッパ５をその背面から給紙ローラ３に向けて付勢する付勢バネである。
【００２５】
分離パッド７は、高摩擦部材からなり、給紙ローラ３と対向する位置に設けられている。給紙ローラ３が回動すると、給紙ローラ３の円弧部分と分離パッド７とが圧接し、圧接部が形成される。給紙ローラ３の円弧部分によって繰り出された最上位の用紙Ｐは、前記圧接部を通過して下流側へと進むが、最上位の用紙Ｐにつられて下流側へと進もうとする次位以降の用紙Ｐは、前記圧接部により、下流側への進行が阻止され、これによって用紙Ｐの重送が防止される。
【００２６】
紙戻しレバー９はレバー形状をなし、ホッパ５の下端部近傍に配置され、回動支点９ａを中心に図示しない駆動機構によって図３の時計方向および反時計方向に回動可能に設けられている。紙戻しレバー９は、用紙Ｐの給紙動作時には図３に示す様に下流側に倒れた状態となっていて、用紙Ｐの給送を阻害しない状態となっている。そして、用紙Ｐの給紙が始まり、給送される用紙Ｐの先端が紙戻しレバー９の下流側に進むと、紙戻しレバー９は上流側に向かって起き上がり、給送される用紙Ｐにつられて重送されようとする次位以降の用紙Ｐを上流側に押し戻す。これにより、用紙Ｐの重送が更に確実に防止され、一枚の用紙Ｐのみを確実に下流側に給送することができる。
【００２７】
次に、給紙装置１の下流には板状体からなる紙案内１６が略水平に設けられ、給紙ローラ３によって送り出された用紙Ｐの先端が該紙案内１６に斜めに当接し、滑らかに下流側に案内される。紙案内１６から下流には回動駆動される搬送駆動ローラ１７ａと、該搬送駆動ローラ１７ａに圧接する搬送従動ローラ１７ｂとからなる搬送ローラ１７が設けられ、用紙Ｐは、当該搬送駆動ローラ１７ａと搬送従動ローラ１７ｂとにニップされて、一定ピッチで下流側に搬送される。ここで、搬送従動ローラ１７ｂは搬送従動ローラホルダ２１の下流側に軸支されていて、当該搬送従動ローラホルダ２１は、回動軸２１ａを中心に図３の時計方向及び反時計方向に回動可能に設けられ、且つ、図示しないねじりコイルばねによって搬送従動ローラ１７ｂが常に搬送駆動ローラ１７ａに圧接する方向（図３の反時計方向）に回動付勢されている。尚、搬送駆動ローラ１７ａは、主走査方向（搬送される用紙Ｐの幅方向。図３において紙面表裏方向。）に長い軸体からなり、一方、搬送従動ローラ１７ｂと搬送従動ローラホルダ２１とは、共に搬送駆動ローラ１７ａの軸方向に複数配設されている。
【００２８】
次に、最も０桁側（セットされる用紙Ｐの基準となる側。図３において紙面表側。）に位置する搬送従動ローラホルダ２１近傍には、用紙Ｐの通過を検出する、センサ本体部１９ｂと検出レバー１９ａとからなる紙検出器１９が配設されている。検出レバー１９ａは側面視略「く」の字の形状をなし、その中央付近の回動軸１９ｃを中心に図３の時計方向及び反時計方向に回動可能に設けられている。検出レバー１９ａの上方に位置するセンサ本体部１９ｂは発光部（図示せず）及び該発光部からの光を受ける受光部（図示せず）を備え、検出レバー１９ａの回動軸１９ｃから上側が、その回動動作により、前記発光部から前記受光部に向かう光の遮断及び通過を行う様になっている。従って、図３に示す様に用紙Ｐの通過に伴って検出レバー１９ａが上方に押し上げられるように回動すると、検出レバー１９ａの上側がセンサ本体部１９ｂから外れ、これによって前記受光部が受光状態となって、用紙Ｐの通過を検出する様になっている。
【００２９】
続いて、搬送駆動ローラ１７ａの下流には、記録部４５としてプラテン２７及びインクジェット記録ヘッド（以下「記録ヘッド」という）２５が上下に対向する様に配設され、搬送ローラ１７によって記録ヘッド２５の下へ搬送される用紙Ｐは、プラテン２７によって下側（すなわち、非記録面側）から支持される。記録ヘッド２５はインクカートリッジ３１を搭載するキャリッジ２３の底部に設けられ、該キャリッジ２３は、主走査方向（図３の紙面表裏方向）に延び、メインフレーム１２（図２）によって支持されるキャリッジガイド軸３３により、主走査方向にガイドされる。
【００３０】
図２において、メインフレーム１２の両側部分には自由回動可能な従動プーリ１４と、図示しない駆動モータによって回動駆動される駆動プーリ１３とが設けられ、駆動プーリ１３と従動プーリ１４とには無端ベルト１５が巻回されている。そしてキャリッジ２３は無端ベルト１５の一部に固定され、これにより、キャリッジ２３が主走査方向に往復動する様になっている。そして、キャリッジ２３が主走査方向に往復動しながら記録ヘッド２５（図３）によってインクカートリッジ３１から供給されたインク滴が吐出されることにより、用紙Ｐへの記録動作が実行される。
【００３１】
次に、図３に戻って記録ヘッド２５から下流は排紙部となっていて、「排出ローラ」の一例として、回動駆動される排紙駆動ローラ２９ａと、自由回動可能な排紙従動ローラ２９ｂとからなる排紙ローラ２９が設けられている。従って記録ヘッド２５によって記録の行われた用紙Ｐは、排紙駆動ローラ２９ａと排紙従動ローラ２９ｂとによってニップされた状態で排紙駆動ローラ２９ａが回動することにより、矢印方向に排出される。また、排紙従動ローラ２９ｂのやや上流側には、自由回動可能な補助ローラ３０が配設されている。ここで、排紙駆動ローラ２９ａは主走査方向にほぼ等間隔で複数個配設されていて、同様に排紙従動ローラ２９ｂについても、これに合わせてほぼ等間隔で配設されている（図示は省略）。また、補助ローラ３０は、主走査方向において、排紙駆動ローラ２９ａと排紙従動ローラ２９ｂとのほぼ中間に配設されている（図示は省略）。
【００３２】
ところで、搬送ローラ１７と排紙ローラ２９とは、協働して以下の様な作用効果を奏している。即ち、図３に示す様に、搬送ローラ１７において搬送駆動ローラ１７ａと搬送従動ローラ１７ｂとのニップ点がやや下流側に（すなわち、プラテン２７に寄って）設定されていて、また、排紙ローラ２９においては、排紙駆動ローラ２９ａと排紙従動ローラ２９ｂとのニップ点がやや上流側に（すなわち、プラテン２７に寄って）設定されている。このような配設によって、搬送ローラ１７と排紙ローラ２９との間においては、用紙Ｐは図示する様に下に凸となる様な緩やかな湾曲状態となり、これにより用紙Ｐがプラテン２７に押し付けられる様になっている。その結果、用紙Ｐのプラテン２７からの浮き上がりが防止され、用紙Ｐの記録面と記録ヘッド２５との距離が一定に保たれるので、記録品質の低下を防止できる様になっている。
【００３３】
以上がプリンタ１００の用紙搬送経路の構成であり、以下、図１、図４乃至図７を参照しつつ、排紙受け部５０のより詳細な構成について説明する。ここで、図４は本発明に係るプリンタの排紙受け部の要部断面図であり、図５は本発明に係るプリンタの排紙受け部をプリンタ正面から見た要部正面図であり、図６及び図７は比較例となる排紙受け部の要部断面図である。
【００３４】
この実施の形態に係るプリンタ１００は、用紙Ｐを搬送する搬送ローラ１７と、該搬送ローラ１７の下流側近傍に位置し用紙Ｐを下側から支えるプラテン２７と該プラテン２７と対向離間して上側に位置する記録ヘッド２５とを備えた記録部４５と、前記記録ヘッド２５の下流側近傍に位置し用紙Ｐを下流側に向けて排出する排紙ローラ２９と、該排紙ローラ２９の下流側に位置し前記排出された用紙Ｐを受けて保持するための排紙受け部５０とを備えている。
【００３５】
前記排紙受け部５０は、用紙Ｐを受ける面である「被記録媒体受け面」としての紙受け面５９が基端５０ａから先端５０ｂに向けて上昇する傾斜面に形成され、前記紙受け面５９は、基端５０ａが前記排紙ローラ２９のニップ位置２９ｃより低く位置すると共に、先端５０ｂは前記排紙ローラ２９のニップ位置２９ｃより高く位置する構成となっている。そして、前記排紙受け部５０は、その紙受け面５９の前記基端５０ａ寄りの位置に、前記排紙ローラ２９のニップ位置２９ｃとほぼ同じ高さの「被記録媒体支え部」としての用紙支え部６０が突設されている。本実施形態においては、用紙支え部６０は図１に示すように主走査方向に２個、並んで構成されている。
【００３６】
この用紙支え部６０は、その基端６３が前記紙受け面５９と面一であり、先方の頂部６２に向けて漸次高くなる傾斜面６１に形成されている。図１において、符号５１は第１排紙受け部、符号５２は第２排紙受け部、符号５３は第３排紙受け部を示し、第２排紙受け部５２および第３排紙受け部５３は、第１排紙受け部５１から公知の構造で順次引き出し可能に構成されている。
【００３７】
次に、本発明の作用を説明する。先ず比較例から図６及び図７を参照しつつ説明する。図６に示したように、排紙受け部５０の傾斜面構造によって用紙Ｐに逆ぞりが生じ、その終端が搬送ローラ１７を通過した後においても通常のほとんどの種類の用紙Ｐに対して、ヘッド擦れによる用紙終端部の汚損を防止できる。しかし、図７に示したように、用紙自身の腰の強さの程度と自重との関係によって、該用紙Ｐの排紙ローラ２９より下流側で且つ排紙ローラ２９寄りに位置する部分Ｐｄが傾斜空間、すなわち排紙ローラ２９のニップ位置２９ｃより下方となる空間に落ち込むような用紙Ｐの場合は、前記逆ぞりの効果がなくなって、前記傾斜空間への前記用紙Ｐの部分的（一部の）落ち込み（Ｐｄ）によって、用紙終端がプラテン２７から浮き上がり、記録ヘッド２５と接触して、いわゆるヘッド擦れを来す問題が発生する。
【００３８】
本発明の実施の形態によれば、図４に示す如く、前記排紙受け部５０は、その紙受け面５９の前記基端５０ａ寄りの位置に、前記排紙ローラ２９のニップ位置２９ｃとほぼ同じ高さの用紙支え部６０が突設されているので、排紙ローラ２９より下流側で且つ排紙ローラ２９寄りに位置する部分が傾斜空間に落ち込むような用紙Ｐであっても、当該用紙支え部６０によって、その落ち込みが防止される。これにより、用紙Ｐの終端が搬送ローラ１７を通過した後においてもプラテン２７から浮き上がるのを防止でき、もってヘッド擦れによる用紙Ｐの汚損を確実に防止することができる。
【００３９】
また、用紙支え部６０を、その基端６３が前記紙受け面５９と面一であり、先方の頂部６２に向けて漸次高くなる傾斜面６１に形成されているものは、用紙Ｐ先端が当該用紙支え部６０の位置を通過するとき、引っかかることなく滑らかに通過することができる。
【００４０】
また、前記排紙受け部５０を、その紙受け面５９の前記基端５０ａ寄りの位置に、用紙Ｐの重量を支えて、用紙Ｐの終端が前記搬送ローラ１７のニップ位置１７ｃ（図４）を通過し前記排紙ローラ２９だけでニップされている状態においても用紙Ｐの終端が浮き上がらないようにその姿勢を保持する設計思想により用紙支え部を突設形成しても、同様の作用効果が得られる。
【００４１】
また、図示しないが、前記用紙支え部６０を、前記紙受け面５９に載る用紙Ｐの枚数の増加による重量増加に伴って自動的に低くなるようにバネ（図示せず）などを利用して弾性的に構成すれば、排紙受け部５０に多数枚の用紙Ｐが積層されたとき、当該用紙支え部６０が、その重量増加に対応して低くなるので、用紙通過の妨げとなることを簡単に防止することができる。
【００４２】
また、図示しないが、前記用紙支え部６０を、用紙Ｐの排出方向に延在するリブにより構成することもできる。さらに、リブより構成した用紙支え部６０の一部または全部を排紙受け部５０に収納できる構成（例えば、回転支点等を設けて収納状態と非収納状態とをとり得る構成）とすることにより、例えば、用紙Ｐが比較的厚みのない薄紙系用紙である場合には、用紙支え部６０を収納せずに突出させておくことによって上述したようにヘッド擦れを確実に防止することができ、一方、用紙Ｐが比較的厚みのある厚紙系用紙である場合には、用紙支え部６０を収納しておくことによってより多くの厚紙系用紙を排紙受け部５０で受けることができる。
【００４３】
また、用紙Ｐの終端が排紙ローラ２９のニップ位置２９ｃ（図４）を通過して排紙受け部５０に排出された後において、記録状態（例えば、記録面全面にインクを付着させて記録を実行した場合など）や用紙Ｐの種類によっては用紙Ｐに主走査方向への撓み力が生じ、図５に示すように上に凸となるような緩やかな湾曲状態を形成することがある。
【００４４】
本実施形態のプリンタ１００においては、このような用紙Ｐの撓みを防止する撓み防止手段が設けられている。前記撓み防止手段は、図５に示すように、排紙ローラ２９と用紙支え部６０との間（すなわち、排紙ローラ２９の下流側であり、かつ、用紙支え部６０の上流側の位置）に配設された撓み防止部材７１と撓み防止ローラ７２から構成されている。
【００４５】
撓み防止部材７１は、用紙Ｐの非記録面側において主走査方向（図５において紙面左右方向）に延在して設けられ、スポンジなどから構成されており、撓み力によって撓もうとする用紙Ｐの側端部と接触することによってそれ以上の撓みの発生を防止している。
【００４６】
一方、撓み防止ローラ７２は、撓み防止部材７１に対置され用紙Ｐの記録面側において主走査方向に所定の間隔をおいて設けられ、自由回動可能であり、その外周面に複数の歯を有する歯付きローラから構成されていて、撓み力によって撓もうとする用紙Ｐの記録面に接触することによってそれ以上の撓みの発生を防止している。また、撓み防止ローラ７２は、図５に示すようにハガキサイズの用紙Ｐ１、５”×８”サイズの用紙Ｐ２、Ａ４サイズの用紙Ｐ３などの種々の用紙Ｐにおいて撓んだ用紙Ｐの中点近傍に位置するように配置されており、効率よく用紙Ｐの撓みを規制している。
【００４７】
このように所定以上の撓みの発生が防止されることにより、次に用紙Ｐが排出されてきた場合において、当該次の用紙Ｐの排出を阻害することなく排紙受け部５０で確実にこれを受けることができる。
【００４８】
また、用紙支え部６０は、排紙受け部５０に排出されて撓んだ用紙Ｐの下、すなわち図５に示すようにハガキサイズの用紙Ｐ１、５”×８”サイズの用紙Ｐ２、Ａ４サイズの用紙Ｐ３などの種々の用紙Ｐにおいて撓んだ用紙Ｐの側端部に接触しない位置に配設されている。このような構成とすることにより、撓もうとする用紙Ｐの側端部が確実に撓み防止部材７１に接触することができ、もって撓み防止部材７１の作用により用紙Ｐの撓み発生を有効に規制することができるとともに、用紙Ｐの排紙受け部５０からの脱落を防止することができる。
【００４９】
以上説明したように、本発明によれば、多くの種類の用紙に対して、用紙終端の浮き上がりに基づくヘッド擦れの問題を確実性をもって防止することができる。
【図面の簡単な説明】
【図１】本発明に係るプリンタの使用状態における概略外観斜視図。
【図２】同プリンタの内部構成を示した装置本体の外観斜視図。
【図３】同プリンタの側断面概略図。
【図４】同プリンタの排紙受け部の要部断面図。
【図５】同プリンタの排紙受け部の要部正面図。
【図６】比較例となる排紙受け部の要部断面図。
【図７】比較例となる排紙受け部の要部断面図。
【符号の説明】
１　給紙装置、　３　給紙ローラ、　５　ホッパ、　７　分離パッド、
８　付勢バネ、　９　紙戻しレバー、　１２　メインフレーム、
１３　駆動プーリ、　１４　従動プーリ、　１５　無端ベルト、
１６　紙案内、　１７　搬送ローラ、　２１　搬送従動ローラホルダ、
２３　キャリッジ、　２５　インクジェット記録ヘッド、
２７　プラテン、　２９　排紙ローラ、　３０　補助ローラ、
３１　インクカートリッジ、　３３　キャリッジガイド軸、
４０　ハウジング、　５０　排紙受け部、　５９　紙受け面、
６０　用紙支え部、　７１　撓み防止部材、　７２　撓み防止ローラ、
１００　インクジェットプリンタ、　Ｐ　用紙
【図１】
2004075388.tif 000003
【図２】
2004075388.tif 000004
【図３】
2004075388.tif 000005
【図４】
2004075388.tif 000006
【図５】
2004075388.tif 000007
【図６】
2004075388.tif 000008
【図７】
2004075388.tif 000009